(57)【要約】【課題】ハウジング内に型抜きの障害となるアンダーカット部が存しないようにすることにより、電球型蛍光ランプのハウジングの小型化を実現する。【解決手段】頂上側に口金が設けられる喇叭状のプラスチック製のハウジング１と、このハウジングの開口内に取り付けられる有底円筒状のプラスチック製のプレート１０を有し、プレートの底部下面に発光管が設けられる電球型蛍光ランプにおいて、下端にプレートの上端が当接すると共に内周にプレートの上端から突設された突出片１１が内接すべき環状又は円弧状の支持座３をハウジングの開口内から鉛直方向に垂設し、上記支持座にはプレートの突出片の外周に突設された係止突起１２が係止すべき係止穴４を設ける。【選択図】　　　図１
2004031302.tif 000002
【特許請求の範囲】
【請求項１】
頂上側に口金が設けられる喇叭状のプラスチック製のハウジング（１）と、このハウジング（１）の開口内に取り付けられる有底円筒状のプラスチック製のプレート（１０）を有し、プレート（１０）の底部下面に発光管が設けられる電球型蛍光ランプにおいて、下端にプレート（１０）の上端が当接すると共に内周にプレート（１０）の上端から突設された突出片（１１）が内接すべき環状又は円弧状の支持座（３）をハウジング（１）の開口内から鉛直方向に垂設し、上記支持座（３）にはプレート（１０）の突出片（１１）の外周に突設された係止突起（１２）が係止すべき係止穴（４）を設けたことを特長とする電球型蛍光ランプ。
【発明の詳細な説明】
【０００１】
【発明の属する技術分野】
この発明は電球型蛍光ランプに関し、特にそのハウジングの構造の改良創作に関する。
【０００２】
【従来の技術】
頂上側に電球用の口金が設けられる喇叭（ラッパ）状のプラスチック製のハウジングの開口側に透光性を有する外筒グローブを結合し、内部に蛍光ランプ等の発光管を設けることにより、電球用のソケットを利用して装着可能な蛍光ランプが所謂蛍光ランプソケットとして公知である（公知例としては、特開２００１−２９７６０１、特開２０００−３３１６４５、特開平１０−２７５５９２等）。
【０００３】
この種の蛍光ランプソケットにおいては、ハウジング内に有底円筒状のプラスチック製のプレートを取り付け、このプレートの底部下面に発光管を設けると共にプレート上に点灯回路基板を収容していた。そのため、ハウジングに対しプレートを係止自在とする必要があり、プレートを係止するための突起がハウジング内周に向かって突設されるのが通常であった。
【０００４】
図５はそのような構造の一例を示す図であるが、ここではプレート４０の開口端外周にフランジ４１を設けると共にハウジング３０内にフランジが当接可能な環状の支持座３１を突設し、支持座３１端にフランジ４１に係止可能な突出片３２を突設している。
【０００５】
即ち、従来技術のハウジングにおいては内周に向かって突起が存在することより、これが成型時の型抜きにあたりキャビティ、コア方向だけでは抜けないアンダーカット部となった。そのため、この種のハウジングの成型にあたっては傾斜コアをスライドさせる等の方法によりアンダーカット部の型抜きを行っていた。
【０００６】
【発明が解決しようとする課題】
ところで、前記の蛍光ランプソケットは既存の電球との互換性を実現することを目指す結果小型化され、それに伴いハウジングも小型化され、アンダーカット部があると傾斜コアのスライド代を充分確保できず型抜きができないという問題を生じた。
【０００７】
【課題を解決するための手段】
この発明は以上の従来技術の問題点に鑑みて創作されたものであり、ハウジングに対するプレートの取り付け手段を改良することにより、ハウジング内にアンダーカット部を生じさせないようにすることを目的とする。
【０００８】
即ち、この発明の電球型蛍光ランプは頂上側に口金が設けられる喇叭状のプラスチック製のハウジングと、このハウジングの開口内に取り付けられる有底円筒状のプラスチック製のプレートを有し、プレートの底部下面に発光管が設けられる電球型蛍光ランプにおいて、下端にプレートの上端が当接すると共に内周にプレートの上端から突設された突出片が内設すべき環状又は円弧状の支持座をハウジングの開口内から鉛直方向に垂設し、上記支持座にはプレートの突出片の外周に突設された係止突起が嵌入すべき係止穴を設けたことを特長とする。
【０００９】
【発明の実施の形態】
以下、この発明の具体的実施例を添付図面に基づいて説明する。図１乃至図５はこの発明が実施される電球型蛍光ランプの一例を示す図であり、電気部品を除いたモールド部分のみを図示している。
【００１０】
図中符号１はプラスチックにより成型されるハウジングであり、頂上側に電球の口金が取り付けられる円筒部２を有すると共に、下方が喇叭状に開口した形状よりなる。このハウジング１の開口内にはやはりプラスチックにより成型される有底円筒状のプレート１０が取り付けられる。このプレート１０は底部下方に蛍光管等の発光管（図示せず）を保持すると共に上部に点灯回路基板（図示せず）が設けられるためのものであり、図中符号１３は底部下面に設けた発光管の保持穴を指す。尚、ハウジング１の開口側には必要に応じて透光性を有する外筒グローブ（図示せず）が設けられる。
【００１１】
前記のプレート１０の上端には突出片１１が突設される。この突出片１１はプレート１０の外周より内方に後退した同心円に沿って複数個配置される円弧状のものであり、ここでは等角度で４個配置している。一方、ハウジング１の開口内周には下端に上記プレート１０の上端が当接可能にして内周に突出片１１が内接可能な支持座３をハウジングの鉛直方向に垂設している。この支持座３は環状又は円弧状のものであり、この実施例では円弧状のものを等角度で２個配置している。そして、前記のプレート１０の突出片１１の外周には上面をテーパ面１２Ａとした係止突起１２が突設されると共に、ハウジング１の支持座３にはこの係止突起１２が係止すべき係止穴４が設けられる。
【００１２】
以上の構成よりなるハウジング１とプレート１０の組み立てにあたっては、プレートの突出片１１の係止突起１２をハウジングの開口内周の支持座３の係止穴４下方に位置させて、プレートをハウジング内に強制的に押し当てることにより、プレートの突出片の外周の係止突起１２のテーパ面１２Ａがハウジングの支持座に当接して突出片及び係止座を変形させながら係止座の係止穴４に落ち込んで係止され、プレートはハウジングに取り付けられる。
【００１３】
【発明の効果】
以上の構成よりなるこの発明の電球型蛍光ランプによれば、ハウジング内に型抜きの障害となるアンダーカット部が存しないので型抜きの関係で従来射出成型が困難であった小型のハウジングを容易に成型することが可能となり、電球型蛍光ランプの小型化の要請に応えることが可能となる。
【図面の簡単な説明】
【図１】この発明の電球型蛍光ランプのハウジングとプレートの分解斜視図。
【図２】同上、異なる角度から観察したハウジングとプレートの分解斜視図。
【図３】同上、ハウジングとプレートの組み立て状態の一部切り欠き斜視図。
【図４】同上、ハウジングとプレートの組み立て状態の一部切り欠き側面図。
【図５】従来技術の電球型蛍光ランプのハウジングとプレートの分解斜視図。
【符号の説明】
１　　　ハウジング
３　　　取り付け座
４　　　係止穴
１０　　プレート
１１　　突出片
１２　　係止突起
【図１】
2004031302.tif 000003
【図２】
2004031302.tif 000004
【図３】
2004031302.tif 000005
【図４】
2004031302.tif 000006
【図５】
2004031302.tif 000007